(57)【要約】【課題】効率的に動データファイルを管理してユーザの要求に応じた好適な動データファイルを再生する再生装置を提供する。【解決手段】再生装置１は、キー操作部１９から入力される視聴可能時間を元に、記録メディア１５ａに格納されている複数の動データファイルの中からインデックステーブルを参照して再生時間がその視聴可能時間内の動データファイルを抽出する。さらに動データファイルの再生履歴を記録し、その履歴を元に残り再生時間が視聴可能時間内である動データファイルを抽出する。【選択図】図１
2006099874.tif 000002
【特許請求の範囲】
【請求項１】
複数の動データファイルを記録し、該動データファイルを抽出する動データファイル検索システムにおいて、
検索する条件として時間を指定する指定手段と、
前記複数の動データファイルの中から前記指定手段により指定された時間以下の再生時間である動データファイルを抽出する検索手段と、
を備えたことを特徴とする動データファイル検索システム。
【請求項２】
前記検索手段は、前記複数の動データファイルの中から組み合わされた動データファイルの合計再生時間が前記指定された時間以下である該動データファイルの組み合わせを抽出することを特徴とする請求項１に記載の動データファイル検索システム。
【請求項３】
前記複数の動ファイルデータに対応する過去の再生の履歴に関する情報を残り再生時間として記録する記録手段を更に備え、
前記検索手段は、前記複数の動データファイルの中から前記残り再生時間が前記指定手段により指定された時間以下の動データファイルを抽出することを特徴とする請求項１又は２に記載の動データファイル検索システム。
【請求項４】
複数の動データファイルを記録し、選択された該動データファイルを再生する再生装置において、
前記複数の動データファイルに対応する過去の再生の履歴に関する情報を格納する記録手段と、
前記過去の再生の履歴に関する情報に基づいて再生の途中で停止された動ファイルデータを抽出する検索手段と、
を備えたことを特徴とする再生装置。
【請求項５】
前記過去の再生の履歴に関する情報は、動データファイルの再生停止時における残り再生時間であり、
検索する条件として時間を指定する指定手段を更に備え、
前記検索手段は、前記残り再生時間が前記指定手段により指定された時間以下の動データファイルを抽出することを特徴とする請求項４に記載の再生装置。
【請求項６】
前記複数の動データファイルを記録するための記録残量が所定の残量以下か否かを判別する第１の判別手段を更に備え、
前記検索手段は、前記記録残量が所定の残量以下である場合に前記再生の途中で停止された動ファイルデータを抽出することを特徴とする請求項４又は５に記載の再生装置。
【請求項７】
前記第１の判別手段により前記記録残量が所定の残量以下であると判定された場合の動データファイル再生終了時に該動データファイルの削除を促す警告手段を備えたことを特徴とする請求項４〜６のいずれか一項に記載の再生装置。
【請求項８】
前記複数の動データファイルの中から前記再生の途中で停止された動データファイルが存在しない場合に未再生の動データファイルがあるか否かを判定する第２の判定手段を更に備え、
前記検索手段は、前記未再生の動データファイルが存在する場合に該動データファイルを抽出することを特徴とする請求項４〜７のいずれか一項に記載の再生装置。
【請求項９】
複数の動データファイルを記録し、選択された該動データファイルを抽出する動データファイル検索システムに設けられたコンピュータに、
検索する条件として時間を指定する指定手段と、
前記複数の動データファイルの中から前記指定手段により指定された時間以下の再生時間である動データファイルを抽出する検索手段を実現させるためのプログラム。
【請求項１０】
複数の動データファイルを記録し、選択された該動データファイルを再生する再生装置に設けられたコンピュータに、
前記複数の動データファイルに対応する過去の再生の履歴に関する情報を格納する格納手段と、
前記過去の再生の履歴に関する情報に基づいて再生の途中で停止された動データファイルを抽出する検索手段を実現させるためのプログラム。
【発明の詳細な説明】
【技術分野】
【０００１】
本発明は、動データファイルの検索システム、再生装置、及びプログラムに関する。
【背景技術】
【０００２】
近年、ＨＤＤ（Hard  Disk  Drive）・ＤＶＤ（Digital Versatile Disk）などの動データファイルを記録する記録メディアを備え、その動データファイルの再生及び録画を行う機器が開発されている。また、携帯電話などの携帯情報端末装置においても、上述の動データファイルやテレビジョン放送番組を鑑賞可能なものがある。
ここでいう動データファイルとは、動画データや音声データを記録したファイルの総称であり、例えばＡＶＩ（Audio Video Interleave）形式、ＭＰＥＧ（Moving Picture Experts Group）形式、ＷＡＶ形式、あるいはＪＰＥＧ（Joint Photographic Experts Group）などの静止画とその再生指示ファイルとの組み合わせなどが挙げられる。
そして、動データファイルの記録と再生を行う機器においては、制御ファイルに従って動データファイルを再生する技術や（特許文献１を参照）、録画済みの動データファイルに優先順位をつけて、保存や消去を自動的に行う技術（特許文献２を参照）が従来から公知である。
【特許文献１】特開２００３−１９９０４号公報
【特許文献２】特開２００２−３０５７０６号公報
【発明の開示】
【発明が解決しようとする課題】
【０００３】
上記機器を使用するユーザにおいては、視聴できる時間が限られている場合、なるべくその時間内に視聴を完了できる動データファイルを選び、効率よく視聴することが望ましい。また、多数の録画ファイルが未視聴の場合はどの録画ファイルを視聴すべきか迷うことが多い。また、視聴を中断せざるを得ない場合においては、次回の視聴時にできればその中断した動データファイルを優先して視聴したい。
しかしながら、従来からの公知の技術では、上記のユーザの要求に応じた好適な動データファイルを検索して効率よく視聴することが困難であり、さらなる開発が望まれていた。
【０００４】
そこで、本発明は、上記事情に鑑みてなされたものであり、効率的に動データファイルを管理してユーザの要求に応じた好適な動データファイルを再生する再生装置の提供を課題とするものである。
【課題を解決するための手段】
【０００５】
上記課題を解決するために、請求項１に記載の発明は、複数の動データファイルを記録し、該動データファイルを抽出する動データファイル検索システムにおいて、検索する条件として時間を指定する指定手段と、前記複数の動データファイルの中から前記指定手段により指定された時間以下の再生時間である動データファイルを抽出する検索手段と、を備えたことを特徴とする。
更に、コンピュータに対して、上述した請求項１に記載の発明に示した主要機能を実現させるためのプログラムを提供する（請求項９に記載の発明）。
【０００６】
請求項２に記載の発明は、請求項１に記載の発明において、前記検索手段は、前記複数の動データファイルの中から組み合わされた動データファイルの合計再生時間が前記指定された時間以下である該動データファイルの組み合わせを抽出することを特徴とする。
【０００７】
請求項３に記載の発明は、請求項１又は２に記載の発明において、前記複数の動ファイルデータに対応する過去の再生の履歴に関する情報を残り再生時間として記録する記録手段を更に備え、前記検索手段は、前記複数の動データファイルの中から前記残り再生時間が前記指定手段により指定された時間以下の動データファイルを抽出することを特徴とする。
【０００８】
請求項４に記載の発明は、複数の動データファイルを記録し、選択された該動データファイルを再生する再生装置において、前記複数の動データファイルに対応する過去の再生の履歴に関する情報を格納する記録手段と、前記過去の再生の履歴に関する情報に基づいて再生の途中で停止された動ファイルデータを抽出する検索手段と、を備えたことを特徴とする。
更に、コンピュータに対して、上述した請求項４に記載の発明に示した主要機能を実現させるためのプログラムを提供する（請求項１０に記載の発明）。
【０００９】
請求項５に記載の発明は、請求項４に記載の発明において、前記過去の再生の履歴に関する情報は、動データファイルの再生停止時における残り再生時間であり、検索する条件として時間を指定する指定手段を更に備え、前記検索手段は、前記残り再生時間が前記指定手段により指定された時間以下の動データファイルを抽出することを特徴とする。
【００１０】
請求項６に記載の発明は、請求項４又は５に記載の発明において、前記複数の動データファイルを記録するための記録残量が所定の残量以下か否かを判別する第１の判別手段を更に備え、前記検索手段は、前記記録残量が所定の残量以下である場合に前記再生の途中で停止された動ファイルデータを抽出することを特徴とする。
【００１１】
請求項７に記載の発明は、請求項４〜６のいずれか一項に記載の発明において、前記第１の判別手段により前記記録残量が所定の残量以下であると判定された場合の動データファイル再生終了時に該動データファイルの削除を促す警告手段を備えたことを特徴とする。
【００１２】
請求項８に記載の発明は、請求項４〜７のいずれか一項に記載の発明において、前記複数の動データファイルの中から前記再生の途中で停止された動データファイルが存在しない場合に未再生の動データファイルがあるか否かを判定する第２の判定手段を更に備え、前記検索手段は、前記未再生の動データファイルが存在する場合に該動データファイルを抽出することを特徴とする。
【発明の効果】
【００１３】
請求項１、９に記載の発明によれば、複数の動データファイルの中から視聴時間を指定し、その指定された時間以下の動データファイルを抽出する構成であるため、ユーザは視聴可能な時間を指定することで容易に時間内に鑑賞可能な動データファイル見つけだすことができる。
【００１４】
請求項２に記載の発明によれば、合計の再生時間が指定された時間以下の動データファイルの組み合わせを抽出する構成であるため、ユーザは視聴可能な時間を指示することでその時間内で再生可能な複数の動データファイルを見つけだすことができ、効率のよい視聴を行うことができる。
【００１５】
請求項３、５に記載の発明によれば、視聴途中の動データファイルの残り再生時間を元に検索する構成であるため、ユーザは途中まで視聴している動データファイルを容易に見つけだすことができ、効率のよい視聴を行うことができる。
【００１６】
請求項４、１０に記載の発明によれば、過去の再生履歴を元に再生の途中で停止された動データファイルを検索する構成であるため、ユーザの動デーファイルの効率的な視聴を促進することができる。
【００１７】
請求項６に記載の発明によれば、記録残量に応じてユーザに再生途中の動データファイルを視聴させ、既に視聴済みであり消去して差し支えない動データファイルへ促すことができるため、効率的な動データファイルの管理につながる。
【００１８】
請求項７に記載の発明によれば、記録残量が少ないときに動データファイルの再生終了時に該動データファイルの削除を促す構成であるため、再視聴により時間を浪費することの防止を行うことができると同時に、不要な動データファイルを速やかに消去して効率的なファイル管理を行うことができる。
【００１９】
請求項８に記載の発明によれば、再生途中の動データファイルが存在しない場合は未再生の動データファイルをさらに検索する構成であるため、未視聴である動データファイルを効率的に視聴させることができる。
【発明を実施するための最良の形態】
【００２０】
［第１の実施の形態］
以下、図を参照して本発明の実施の形態を詳細に説明する。ただし、本発明の範囲は図示例に限定されない。
図１に本発明に係る再生装置１の機能的構成を示す。再生装置１は、制御部１１、表示部１２、音声出力部１３、画像処理部１４、記憶部１５、通信部１６、アンテナ１７、カメラ撮影部１８、キー操作部１９、メモリ２０、及びＩＣカード処理部２１を備え、これら各部はバス２２を介して互いに接続されてなる。具体的には、再生装置１は、携帯電話、ＰＤＡ（Personal Digital Assistant）などの携帯情報端末や、パソコン、ＤＶＤ（Digital Versatile Disk）レコーダ、ＨＤＤ（Hard Disk Drive）レコーダ、又はホームサーバーなどである。
【００２１】
制御部１１は、特に図示しないＣＰＵ（Central  Processing  Unit）、内部ＲＡＭ（Random  Access  Memory）、及びＲＯＭ（Read  Only  Memory）を備え、ＣＰＵにおいて、内部ＲＡＭの所定領域を作業領域としてＲＯＭに記憶されている各種制御プログラムに従い、上述した各部に制御信号を送って再生装置１の動作全般を統括制御する。
【００２２】
表示部１２は、ＬＣＤ（Liquid  Crystal  Display）、ＣＲＴ（Cathode  Ray  Tube）などのディスプレイから構成され、制御部１１から入力される画像出力信号に基づいてディスプレイに画像を表示する。
【００２３】
音声出力部１３は、特に図示しないＤ／Ａ回路、スピーカなどから構成され、制御部１１から入力される音声デジタル信号をＤ／Ａ回路で音声アナログ信号に変換してスピーカから音声として出力する。
【００２４】
画像処理部１４は、特に図示しない画像用ＤＳＰ（Digital Signal Processor）等からなり、制御部１１から入力される画像データをＲＧＢ形式など所定の画像出力信号への変換、又はホワイトバランス調整などの各種画像処理を行い、制御部１１へ出力する。また、画像処理部１４は、上記画像データの圧縮／復号化処理を行い、制御部１１へ出力する。
【００２５】
記録手段としての記憶部１５は、記録メディア１５ａ、画像メモリ１５ｂ、及び電気的に消去及び書き換えが可能な不揮発メモリであるＥＥＰＲＯＭ（Electrically  Erasable  and  Programmable  Read-Only  Memory）やフラッシュメモリなどにより構成される。
記録メディア１５ａは、記憶部１５、又は後述するＩＣカード処理部２１に読み取り及び書き込み可能に設置される記録媒体であり、単／複数の動データファイル、及び過去の再生の履歴などその動データファイルに関する情報であるインデックステーブルを格納する。記録メディア１５ａの例としては、ＣＤ−Ｒ、ＣＤ−Ｒ／Ｗ、ＤＶＤ−Ｒ、ＤＶＤ−Ｒ／Ｗ、ＤＶＤ＋Ｒ／Ｗ、ＤＶＤ−ＲＡＭ、ブルーレイディスク、ＭＯディスク、ＰＣカード、ＳＤカード、メモリースティック（登録商標）、スマートメディア、コンパクトフラッシュ（登録商標）、xD−Ｐｉｃｔｕｒｅカード、ＨＤＤ及び不揮発性メモリなどがある。
【００２６】
ここで、動データファイルに関するインデックステーブルについて図７を参照して説明する。
動データファイルインデックステーブルは、各動データファイルごとに、記録メディア１５ａにおける動データファイルの開始位置を示すファイルアドレス、記録された日時を示す記録日時、最初から最後までの再生時間、視聴の状態を示すフラグ（未視聴「０」・視聴済み「２」・途中まで視聴されている「１」）、再生時において停止指示により停止したデータ上のアドレスである停止位置、及び該停止位置により算出される残り再生時間からなり、各動データファイルの再生に関する情報を格納する。このように、動データファイルに関する情報を一括してインデックスファイルで管理することにより、高速に検索を行うことができる。
【００２７】
なお、上述したように、複数の動データファイルの情報を一括して１つのインデックスファイルに格納する構成でも良いが、各動データファイルごとにヘッダやフッタ部分などに付加情報として備える構成であってよく、特に限定しない。この場合は、動データファイルごとに情報が管理されるため、いくつかの動データファイルを他の記録メディアにコピーした場合においても、再生に関する情報を保持し、それに基づいた処理を行うことができる。
【００２８】
また、視聴の状態を示すフラグは、停止位置により示す構成であってもよい。例えば、未視聴の動データファイルであることを示す場合は停止位置にファイルアドレスと同一のアドレスが格納され、既視聴や途中で停止された動データファイルの場合はファイルの最後又は途中のアドレスを格納する。
これにより、停止位置をチェックするだけで動データファイルの視聴状態を判定することができる。
【００２９】
画像メモリ１５ｂは、ＶＲＡＭ（Video RAM）などであり、記録メディア１５ａなどに格納された画像データを表示部１２に表示する際に、高速に転送するため一時的に保存するメモリである。
【００３０】
通信部１６は、アンテナ１７を備え、当該アンテナ１７を駆動制御してデータ通信を行うための回路部であり、制御部１１から入力される指示により、外部の通信サービス業者が採用する無線通信方式（例えばＣＤＭＡ、ＰＤＣ、ＧＳＭ等）に基づく無線信号の変調・復調処理、及び、端末認証処理を含む通信処理を行い、特に図示しない他端末との音声通話や通信ネットワークに接続されたサーバなどの端末とのデータ通信を行う。
この場合は、動データファイル及び／又は動データファイルのインデックステーブルが通信部１６により互いにデータ通信可能に接続されるサーバに格納される構成であっても良く、これにより情報の一元管理を行うことができる。
【００３１】
また、通信部１６は、アンテナ１７で受信された特に図示しないテレビジョン放送局からのテレビジョン放送電波信号の搬送周波数の中から、設定されている同調周波数を有するテレビジョン放送電波信号を抽出して、そのテレビジョン放送電波信号に含まれる画像・音声データを制御部１１へ出力する。なお、電子番組ガイド（ＥＰＧ：Electronic Program Guide）の利用がされるような構成を備え、テレビジョン放送電波信号に重畳伝送されるＥＰＧデータを制御部１１へ出力してもよい。ＥＰＧデータには今後放送予定の番組についてのタイトル、概略、放送開始時刻、放送終了時刻等といった情報が含まれており、これにより、テレビジョン放送を録画する場合は、そのＥＰＧデータからの情報を動データファイルに関するインデックステーブルに格納することができる。
【００３２】
カメラ撮影部１８は、特に図示しない光学レンズ、撮像素子などによって構成され、制御部１１の指示により光学レンズから入光して撮像素子に結像する画像を画像信号として制御部１１へ出力する。
【００３３】
キー操作部１９は、再生装置１に対する操作指示を入力するための数字キー、文字キー、機能キーなどの各種キーや、小型のスティック状のポインティングデバイス等を含んで構成される。ユーザは、表示部１２に表示される画面を参照しながらキー操作部１９を操作することにより再生装置１に対する各種操作指示、又は設定を行う。
【００３４】
メモリ２０（Random  Access  Memory）は、例えばＳＤＲＡＭ（Synchronous  Dynamic  RAM）などで構成される揮発メモリであり、制御部１１が各種処理を実行する際に各種データやバッファを展開するメモリ領域を形成する。
【００３５】
ＩＣカード処理部２１は、再生装置１の機能を拡張するために挿入された、例えばＪＥＩＤＡ／ＰＣＭＣＩＡ準拠の一般にＰＣカードと称されるカードを制御する回路であり、制御部１１の指示に従い、そのカードによる各種機能を制御する。ここでいう各種機能とは、例えば前述のＳＤカード、メモリースティック（登録商標）、スマートメディア、コンパクトフラッシュ（登録商標）、xD−Ｐｉｃｔｕｒｅカード、又は小型ＨＤＤを備え、その記録媒体への情報の書き込み／読み出しを行う機能、ＵＳＢ（Universal Serial Bus）通信機能、電話回線やＰＨＳ（Personal Handy-phone System）によるデータ通信機能などがあり、それらの機能を有するカードを用途に合わせてＩＣカード処理部２１に挿入して使用する。
【００３６】
次に、制御部１１により再生可能時間を指定して動データファイルを検索し、再生する処理について図２、３を参照して説明する。
【００３７】
先ず、制御部１１は、指定手段としてのステップＳ１１により、ユーザによるキー操作部１９からの操作指示により再生可能時間を受け付ける。なお、ここにおける再生可能時間は、キー操作部１９からの操作指示に限定することなく、予め記憶部１５に設定されている構成であってもよい。ステップＳ１１の後、インデックステーブルを参照して、記録メディア１５ａなどにおける未再生の動データファイルの再生時間の読出し（ステップＳ１２）と再生途中の動データファイルの残り再生時間の読出しとが行われ（ステップＳ１３）、検索手段としてのステップＳ１４により、再生時間又は残り再生時間が再生可能時間内に収まる動データファイルの検索が行われ、該当する動データファイルが検出されたか否かが判定される（ステップＳ１５）。
【００３８】
ステップＳ１５において、該当する動データファイルが存在すると判定された場合は（ステップＳ１５：ＹＥＳ）、さらに再生可能時間内での複数の動データファイルの組み合わせが検索され（ステップＳ１７）、その組み合わせの有無が判定されて（ステップＳ１７）、無いと判定された場合（ステップＳ１７：ＮＯ）、ステップＳ１４で検索された再生時間内に収まるファイルの一覧が表示される（ステップＳ１９）。
また、ステップＳ１７において、複数の動データファイルの組み合わせが有ると判定された場合は（ステップＳ１７：ＹＥＳ）、後述する図３に示した、ステップＳ１６において検索された組み合わせを選択して再生する処理（Ａ１）へ移行される。
【００３９】
なお、ステップＳ１５において、該当する動データファイルがないと判定された場合は（ステップＳ１５：ＮＯ）、再生時間／残り再生時間の短い順で動データファイルが一覧表示される（ステップＳ１８）。
【００４０】
ステップＳ１８又はステップＳ１９において動データファイルの一覧が表示された後、キー操作部１９から入力されるユーザの指示により、表示された一覧の中から再生される動データファイルが選択され（ステップＳ２０）、その選択された動データファイルに対して再生開始の指示が出力されて再生が開始される（ステップＳ２１）。
【００４１】
ステップＳ２１の後、再生が指示された動データファイルについて、再生停止の指示の有無（ステップＳ２２）、所定の再生可能時間の経過の有無（ステップＳ２３）、又は再生終了の有無（ステップＳ２４）が判定され、上記いずれかの条件が判定されるまで待機される（ステップＳ２４：ＮＯ）。
ここで、再生停止の指示や所定の再生時間経過がなく、ステップＳ２１で再生が指示された動データファイルの再生が終了した場合（ステップＳ２４：ＹＥＳ）、その動データファイルに関するインデックステーブルのフラグに再生が終了したことを示すデータが格納され（ステップＳ２９）、終了する。
なお、再生停止の指示（ステップＳ２２：ＹＥＳ）又は再生可能時間が経過した場合（ステップＳ２３）は、再生停止の指示が出力されて（ステップＳ２５）、その動データファイルのインデックステーブルにおいて、再生の停止位置に関する情報が記録され（ステップＳ２６）、その停止位置に関する情報を元に残り再生時間が算出されて記録され（ステップＳ２７）、再生が途中で終了したことを示すデータがフラグに格納され（ステップＳ２８）、終了する。
【００４２】
次に、ステップＳ１７において、複数の動データファイルの組み合わせが有ると判定された場合（ステップＳ１７：ＹＥＳ）における処理（Ａ１）について、図３に示すフローチャートを参照して説明する。
【００４３】
先ず、ステップＳ１６において検索された時間内で再生可能な動データファイルの組み合わせの一覧が表示され（ステップＳ３０）、キー操作部１９から入力されるユーザの指示により、表示された一覧の中から再生される動データファイルの組み合わせが選択され（ステップＳ３１）、その選択された動データファイルの組み合わせにおいて所定の再生順に指定された動データファイルの中で再生順が先頭である動データファイルの再生が指定され（ステップＳ３２）、その動データファイルに対して再生開始の指示が出力されて再生が開始される（ステップＳ３３）。
なお、ここにおける所定の再生順は、例えば再生時間の短いものから順に指定されるなど、予め設定された条件を元によるものでも良いが、ステップＳ３１における動データファイルの組み合わせ選択時に、ユーザが再生順を入力する構成であっても良い。
【００４４】
ステップＳ３３の後、再生が指示された動データファイルについて、再生停止の有無（ステップＳ３４）、又は再生終了の有無（ステップＳ３９）が判定され、上記いずれかの条件が判定されるまで待機される（ステップＳ３９：ＮＯ）。なお、ここで所定の再生可能時間経過の有無を判定する構成を加えても良い。
【００４５】
そして、再生停止の指示や所定の再生時間経過がなく、ステップＳ３３で再生が指示された動データファイルの再生が終了した場合（ステップＳ３９：ＹＥＳ）、その動データファイルに関するインデックステーブルのフラグに再生が終了したことを示すデータが格納され（ステップＳ４０）、選択された動データファイルの組み合わせにおいて全ての動データファイルが再生されたか否かが判定される（ステップＳ４１）。ここで、全ての動データファイルが再生されていない場合（ステップＳ４１：ＮＯ）は次の再生順の動データファイルの再生が指定されて（ステップＳ４２）ステップＳ３３へ戻り、全ての動データファイルが再生されている場合（ステップＳ４１：ＹＥＳ）は終了する。
【００４６】
なお、再生停止の指示（ステップＳ３４：ＹＥＳ）がある場合は、前述のステップＳ２５〜２８と同様の処理がステップＳ３５〜３８で行われ、終了する。ここで、ステップＳ３８において再生が途中で終了したことを示すデータは、再生中の動データファイルに該当するフラグにのみ格納される構成でも良いが、再生前の動データファイルのフラグにも格納し、停止位置をファイルアドレスの先頭とする構成であっても良い。この場合は、再生を選択された動データファイルがフラグで示され、未再生であることが停止位置で示されるため、例えばステップＳ１４における動データファイルの検索の時に、一度再生が選択された動データファイルとして検索を行うことができる。
【００４７】
以上のように、再生装置１は、ユーザから指示される再生可能時間を元にその時間内に再生可能な動データファイルを抽出して表示することで、ユーザの視聴可能時間に合わせた動ファイルデータを検索して再生することができる。
【００４８】
［第２の実施の形態］
次に、第２の実施の形態として、制御部１１が再生途中で停止された動データファイルを優先的に検索し、再生する処理について説明する。なお、簡略化のため、第１の実施の形態と同一な構成については同一の符号を付して説明を省略し、第２の実施の形態に特徴的な処理について図４を参照して説明する。
【００４９】
制御部１１は、ユーザからの操作指示により再生可能時間を受け付け（ステップＳ５１）、記録メディア１５ａなどにおける再生途中で停止された動データファイルの検索をインデックステーブルのフラグを参照して行い（ステップＳ５２）、該当する動データファイルが存在するか否かを判定する（ステップＳ５３）。
【００５０】
ステップＳ５３において該当する動データファイルが存在すると判定された場合（ステップＳ５３：ＹＥＳ）、次にその動データファイルが複数存在するか否かが判定される（ステップＳ５４）。
ここで、複数でない場合（ステップＳ５４：ＮＯ）、該当する動データファイルの残り再生時間と再生可能時間とが比較され（ステップＳ６１）、再生可能時間以下であるため再生可能であると判定された場合（ステップＳ６２）、当該動データファイルに対して再生開始の指示が出力されて再生が開始される（ステップＳ６０）。
また、ステップＳ５４において複数存在すると判定された場合（ステップＳ５４：ＹＥＳ）、再生途中で停止された各動データファイルの残り再生時間が読み出され（ステップＳ５５）、残り再生時間が再生可能時間内に収まる動データファイルが検索され（ステップＳ５６）、顔等する動データファイルが存在するか否かが判定される（ステップＳ５７）。ここで、存在すると判定された場合（ステップＳ５７：ＮＯ）、残り再生時間の短い順で動データファイルの一覧が表示され（ステップＳ５８）、ユーザの指示により表示された一覧の中から再生される動データファイルが選択され（ステップＳ５９）、該動データファイルが再生される（ステップＳ６０）。
【００５１】
ステップＳ５３、５７において該当する動データファイルが存在しないと判定された場合（ステップＳ５３、５７：ＮＯ）、又はステップＳ６２において該当する動データファイルの残り再生時間が再生可能時間より長いため再生可能でないと判定された場合（ステップＳ６２：ＮＯ）、ステップＳ５２において検索対象となった動データファイル以外の再生時間の読出しが行われ（ステップＳ６３）、再生可能時間内に収まる動データファイルが検索され（ステップＳ６４）、該当する動データファイルの有無が判定される（ステップＳ６５）。
【００５２】
ステップＳ６５において、該当する動データファイルが存在すると判定された場合（ステップＳ６５：ＹＥＳ）、録画日時の古い順に該当する動データファイルの一覧が表示され（ステップＳ６６）、ユーザの指示により表示された一覧の中から再生される動データファイルが選択されて（ステップＳ６７）、該動データファイルが再生される（ステップＳ６０）。
また、該当する動データファイルが存在しないと判定された場合（ステップＳ６５：ＮＯ）、再生時間の短い順に全ての動データファイル一覧が表示され（ステップＳ６８）、ユーザの選択の後（ステップＳ６７）、選択された動データファイルが再生される（ステップＳ６０）。
なお、ステップＳ６０の後は、前述の第１の実施の形態で説明したステップＳ２２へ戻り（図２を参照）、同様の構成であるため、説明を省略する。
【００５３】
以上のように、再生装置１は、ユーザから指示される再生可能時間を元にその時間内に再生可能な動データファイルの検索を再生の途中で停止された動ファイルデータから優先的に行う構成であるため、ユーザが効率的な視聴を行うための動データファイル抽出を行うことができる。
【００５４】
［第３の実施の形態］
次に、第３の実施の形態として、制御部１１が新たな動データファイルを記録メディア１５ａに追加する時の処理について説明する。なお、簡略化のため、第１、２の実施の形態と同一な構成については同一の符号を付して説明を省略し、第３の実施の形態に特徴的な処理について図５を参照して説明する。
【００５５】
制御部１１は、ユーザからの新たな動データファイルを追加する旨の操作指示により、記録メディア１５ａの記録残量をチェックし（ステップＳ７１）、第１の判別手段としてのステップＳ７２により、記録残量が所定の値以下であるか否かを判定する。なお、この処理の起動は、ユーザからの操作指示に限らず、電源投入時、記録メディア１５ａへのデータの記録時、又は一定の周期で行うものであってよく、特にファイルの追加時に限定するものではない。また、記録残量を判定する値は、記録メディア１５ａの記憶許容容量との割合であり、記憶許容容量の異なる記録メディア１５ａに応じて異なるものであっても良く、特に定められたデータ量を示すものに限定しない。
【００５６】
ステップＳ７２において、記録残量が所定の値以下であると判定された場合（ステップＳ７２：ＹＥＳ）、記録メディア１５ａの再生途中ファイルが検索され（ステップＳ７３）、該当するファイルが有るか否かが判定される（ステップＳ７４）。
ステップＳ７２で記録残量が所定の値以上であると判定された場合（ステップＳ７２：ＮＯ）、ステップＳ７４で該当するファイルが存在しないと判定された場合（ステップＳ７４：ＮＯ）、又はＣ１からの移行は、そのまま記録メディア１５ａに新規の動データファイルとして追加記録され（ステップＳ８８）、終了する。
【００５７】
ステップＳ７４において、該当するファイルが存在すると判定された場合（ステップＳ７４：ＹＥＳ）、ステップＳ７３で検索された再生途中ファイルの一覧が表示され（ステップＳ７５）、ユーザの指示により表示された一覧の中から再生される動データファイルが選択され（ステップＳ７６）、該動データファイルの再生開始の指示が出力されて再生される（ステップＳ７７）。
【００５８】
ステップＳ７７の後は、前述のステップＳ３４、３９の処理と同様に再生が指示された動データファイルについての再生停止の有無（ステップＳ７８）、又は再生終了の有無（ステップＳ８３）が判定されるまで待機される（ステップＳ８３：ＮＯ）。
ここで、再生停止の指示（ステップＳ７８：ＹＥＳ）が有る場合は、前述のステップＳ２５〜２８と同様の処理がステップＳ７９〜８２で行われ、Ｃ１へ移行する。
【００５９】
また、ステップＳ８３において、動データファイル再生の終了が判定された場合（ステップＳ８３）、インデックステーブルのフラグに再生が終了したことを示すデータが格納され（ステップＳ８４）、警告手段としてのステップＳ８５により、その再生終了の動データファイルを削除する旨の確認が表示され、ユーザから了承する操作指示が行われることで（ステップＳ８６：ＹＥＳ）、該動データファイルが記録メディア１５ａから削除され（ステップＳ８７）、Ｃ１へ移行する。
【００６０】
なお、ステップＳ８５〜８７における動データファイルの削除は、記録メディア１５ａに格納されている再生済みフラグのある動データファイルを検索して一覧表示し、ユーザが選択する動データファイルを削除する構成であってもよい。この場合は、削除する動データファイルを再生済みの動データファイルの中からユーザが自由に選択することができる。
【００６１】
以上のように、再生装置１は、記録メディア１５ａの記録残量に応じて再生の途中で停止された動データファイルを再視聴させて、削除を促す構成であるため、記録メディア１５ａの記録量が満杯になることを抑止し、新規データの記録が阻害されることを未然に防止することができる。また、記録メディア１５ａの記録残量が少なくなったことについてのユーザの意識向上につながると同時に、効率的な視聴を補助することができる。
【００６２】
また、本実施の形態では、先ず記録メディア１５ａの記録残量を判定する構成としたが、特に限定するものではなく、たとえば動データファイルの再生後（ステップＳ８４）に記録メディア１５ａの記録残量を判定して削除を促す構成であってもよい。この場合は、新規のデータを追加する前に予め再生済みの動データファイルの消去を促すことができ、さらに効率的な記録メディア１５ａの管理を行うことができる。
【００６３】
［第４の実施の形態］
次に、第４の実施の形態として、制御部１１が再生途中の動データファイルの数に応じて視聴する動データファイルの一覧を表示して再生する処理について説明する。なお、簡略化のため、前述の実施の形態と同様な構成については同一の符号を付して説明を省略し、第４の実施の形態に特徴的な処理について図６を参照して説明する。
【００６４】
動データファイルの自動再生の指示などにより、制御部１１は、記録メディア１５ａ内に格納された再生の途中で停止された動データファイルを検索し（ステップＳ９１）、該当する動データファイルの有無を判定する（ステップＳ９２）。
【００６５】
ステップＳ９２において、該当する動データファイルが有ると判定された場合（ステップＳ９２：ＹＥＳ）、その動データファイルの数が予め定められた所定のファイル数以上であるか否かが判定され（ステップＳ９７）、所定のファイル数以上である場合（ステップＳ９７：ＹＥＳ）、ステップＳ９１で検索された再生途中の動データファイルの一覧が表示される（ステップＳ９８）。
【００６６】
ステップＳ９２において、該当する動データファイルが存在しないと判定された場合（ステップＳ９２：ＮＯ）、記録メディア１５ａ内で未再生の動データファイルが検索され（ステップＳ９３）、第２の判別手段としてのステップＳ９４により、該当する動データファイルの有無が判定される。
【００６７】
ここで、該当するファイルが存在する場合は（ステップＳ９４：ＹＥＳ）、その未再生である動データファイルの一覧が表示される（ステップＳ９５）。
なお、該当するファイルが存在しない場合（ステップＳ９４：ＮＯ）、又はステップＳ９７において所定のファイル数以下である場合は（ステップＳ９７：ＮＯ）、記録メディア１５ａに格納された動データファイル全ての一覧が表示される（ステップＳ９６）。
【００６８】
そして、条件に応じた動データファイルの一覧が表示された後（ステップＳ９５、９６、９８）、ユーザにより再生される動データファイルの選択指示が入力され（ステップＳ９９）、該動データファイルの再生開始の指示が出力されて再生される（ステップＳ１００）。
【００６９】
ステップＳ１００の後は、前述のステップＳ３４、３９、７８、８３における処理と同様に再生中の動データファイルについての再生停止の有無（ステップＳ１０１）、又は再生終了の有無（ステップＳ１０６）が判定されるまで待機される（ステップＳ１０６：ＮＯ）。
【００７０】
ここで、再生停止の指示（ステップＳ１０１：ＹＥＳ）がある場合は、前述のステップＳ２５〜２８、又はステップＳ７９〜８２などと同様の処理がステップＳ１０２〜１０５で行われて終了する。
また、ステップＳ１０６において、動データファイルの再生終了が判定された場合（ステップＳ１０６：ＹＥＳ）、その動データファイルにおけるインデックステーブルのフラグに再生が終了したことを示すデータが格納されて（ステップＳ１０７）終了する。
【００７１】
以上のように、再生装置１は、記録メディア１５ａに格納された再生途中で停止された動データファイルを検索し、所定の数以上である場合にその動データファイルの一覧を表示する。また、未再生の動データファイルがある場合はその一覧を表示する。
ユーザは、再生途中で停止された動データファイルや未再生の動データファイルの視聴案内により、容易に視聴に適した動データファイルの選択を行うことができ、視聴効率の低下を改善することができる。
【００７２】
なお、本発明は、上記実施の形態に限定されるものではない。例えば、ステップＳ１９、３０、５８、６６、６８、７５、９５、９６、９８などにおけるファイルの一覧表示は、再生時間・記録日時・ファイル名の五十音など、ファイルの属性を示す情報の昇順又は降順のいずれであってもよい。その他、本発明は、発明の要旨を逸脱しない範囲内で自由に変更、改良が可能である。
【図面の簡単な説明】
【００７３】
【図１】本発明を適用した再生装置１の機能的構成を模式的に示すブロック図である。
【図２】第１の実施の形態における、再生可能時間を指定して動データファイルを検索し、再生する処理を説明するフローチャートである。
【図３】第１の実施の形態における、再生可能時間を指定して動データファイルを検索し、再生する処理を説明するフローチャートである。
【図４】第２の実施の形態における、再生途中で停止された動データファイルを優先的に検索し、再生する処理について説明するフローチャートである。
【図５】第３の実施の形態における、新たな動データファイルを記録メディア１５ａに追加するときの処理について説明するフローチャートである。
【図６】第４の実施の形態における、記録メディア１５ａに格納された再生途中の動データファイルの数に応じて視聴する動データファイルの一覧を表示して再生する処理を説明するフローチャートである。
【図７】動データファイルに関するインデックステーブルを説明する図である。
【符号の説明】
【００７４】
１  再生装置
１１  制御部
１２  表示部
１３  音声出力部
１４  画像処理部
１５  記憶部
１５ａ  記録メディア
１５ｂ  画像メモリ
１６  通信部
１７  アンテナ
１８  カメラ撮影部
１９  キー操作部
２０  メモリ
２１  ＩＣカード処理部
２２  バス
【図１】
2006099874.tif 000003
【図２】
2006099874.tif 000004
【図３】
2006099874.tif 000005
【図４】
2006099874.tif 000006
【図５】
2006099874.tif 000007
【図６】
2006099874.tif 000008
【図７】
2006099874.tif 000009